(57)【特許請求の範囲】
【請求項１】
第１コネクタハウジングと、この第１コネクタハウジングと嵌合可能な第２コネクタハウジングと、前記第１コネクタハウジングに回動可能に軸支されたレバーとを備え、前記第２コネクタハウジングに対して前記第１コネクタハウジングが半嵌合状態となる位置にあるときに前記レバーの回動操作により前記第２コネクタハウジングに対して前記第１コネクタハウジングを完全嵌合状態となる位置へ移動させるレバー式コネクタであって、
前記第１コネクタハウジングは、前記第２コネクタハウジングとの嵌合方向に対して直交する幅方向のうちの少なくとも一方に突設したガイドリブを有し、
前記第２コネクタハウジングは、前記第１コネクタハウジングが収容される収容部と、前記ガイドリブを案内するガイドリブ案内部とを有し、
前記ガイドリブ案内部は、前記収容部内において、前記第２コネクタハウジングに対する前記第１コネクタハウジングの嵌合方向に前記ガイドリブを案内するガイド溝と、前記収容部外において前記ガイドリブと係合し、係合したガイドリブを前記ガイド溝の開口へ案内するガイド斜面とを有し、
前記ガイド斜面は、前記幅方向の両端で前記収容部を形成している側壁部に設けられており、前記ガイド溝へ向かって傾斜しており、前記第１コネクタハウジングは、前記第２コネクタハウジングとの嵌合方向に対して直交する幅方向の一側と他側に前記ガイドリブを有していることを特徴とするレバー式コネクタ。
【請求項２】
請求項１に記載のレバー式コネクタにおいて、
前記ガイドリブは、前記第１コネクタハウジングに対する前記レバーの回動範囲の全体において干渉回避可能な位置に設けられていることを特徴とするレバー式コネクタ。
【請求項３】
請求項１または請求項２に記載のレバー式コネクタにおいて、
前記ガイド斜面は、前記収容部に収容された前記第１コネクタハウジングの一部を前記収容部の外部に露出させるように形成されていることを特徴とするレバー式コネクタ。
【請求項４】
請求項１乃至請求項３のいずれかに記載のレバー式コネクタにおいて、
前記ガイド斜面により前記ガイドリブは、該ガイドリブの突設方向及び前記嵌合方向の双方と交わる方向の２方向において、前記ガイド溝の開口に案内されることを特徴とするレバー式コネクタ。
【発明の詳細な説明】
【技術分野】
【０００１】
本発明は、レバーの回動操作により、一方のコネクタハウジングと他方のコネクタハウジングとを嵌合させるレバー式コネクタに関する。
【背景技術】
【０００２】
従来から、レバーの回動操作により、雄コネクタハウジングと雌コネクタハウジングとを嵌合させるコネクタとして、例えば、特開２００９−１５２０６３号公報（特許文献１）に記載されたレバー式コネクタが提案されている。
【０００３】
このレバー式コネクタは、雌コネクタハウジングと、この雌コネクタハウジングと嵌合可能な雄コネクタハウジングと、雄コネクタハウジングに回動可能に軸支されたレバーとから略構成されている。
【０００４】
雌コネクタハウジングには、雄コネクタハウジングを収容する収容部に、雄コネクタハウジングの嵌合方向に沿ってガイド溝が設けられており、雄コネクタハウジングには、ガイド溝に挿入可能なガイドリブが突設されている。
【０００５】
雌コネクタハウジングに雄コネクタハウジングを嵌合する際には、雌コネクタハウジングのガイド溝に雄コネクタハウジングのガイドリブを挿入することにより、雄コネクタハウジングを雌コネクタハウジングに対して半嵌合状態となる位置に案内する。
【０００６】
そして、レバーの回動操作により、雌コネクタハウジングに対して雄コネクタハウジングを完全嵌合状態となる位置へ移動させることにより、雄コネクタハウジングを雌コネクタハウジングへ嵌合させる。
【先行技術文献】
【特許文献】
【０００７】
【特許文献１】特開２００９−１５２０６３号公報
【発明の概要】
【発明が解決しようとする課題】
【０００８】
ところで、上述したレバー式コネクタでは、雌コネクタハウジングに設けられたガイド溝の開口と収容部の開口とが同一平面上に設けられている。このため、雄コネクタハウジングに設けられたガイドリブをガイド溝の開口に対して位置決めすることと、雌コネクタハウジングに設けられた収容部の開口に対して雄コネクタハウジングを位置決めすることとを、目視で確認しながら同時に達成しなければ、雄コネクタハウジングを雌コネクタハウジングへ挿入することができず、この挿入作業性を向上したいという要望があった。
【０００９】
そこで、本発明は、一方のコネクタハウジングを他方のコネクタハウジングへ挿入する作業性を向上したレバー式コネクタを提供することを目的とする。
【課題を解決するための手段】
【００１０】
上記目的を達成するために、本願請求項１に記載した本発明のレバー式コネクタは、第１コネクタハウジングと、この第１コネクタハウジングと嵌合可能な第２コネクタハウジングと、前記第１コネクタハウジングに回動可能に軸支されたレバーとを備え、前記第２コネクタハウジングに対して前記第１コネクタハウジングが半嵌合状態となる位置にあるときに前記レバーの回動操作により前記第２コネクタハウジングに対して前記第１コネクタハウジングを完全嵌合状態となる位置へ移動させるレバー式コネクタであって、前記第１コネクタハウジングは、前記第２コネクタハウジングとの嵌合方向に対して直交する幅方向のうちの少なくとも一方に突設したガイドリブを有し、前記第２コネクタハウジングは、前記第１コネクタハウジングが収容される収容部と、前記ガイドリブを案内するガイドリブ案内部とを有し、前記ガイドリブ案内部は、前記収容部内において、前記第２コネクタハウジングに対する前記第１コネクタハウジングの嵌合方向に前記ガイドリブを案内するガイド溝と、前記収容部外において前記ガイドリブと係合し、係合したガイドリブを前記ガイド溝の開口へ案内するガイド斜面とを有し、前記ガイド斜面は、前記幅方向の両端で前記収容部を形成している側壁部に設けられており、前記ガイド溝へ向かって傾斜しており、前記第１コネクタハウジングは、前記第２コネクタハウジングとの嵌合方向に対して直交する幅方向の一側と他側に前記ガイドリブを有していることを特徴とする。
【００１１】
請求項２に記載した本発明のレバー式コネクタは、請求項１に記載のレバー式コネクタにおいて、前記ガイドリブは、前記第１コネクタハウジングに対する前記レバーの回動範囲の全体において干渉回避可能な位置に設けられていることを特徴とする。
【００１３】
請求項３に記載した本発明のレバー式コネクタは、請求項１または請求項２に記載のレバー式コネクタにおいて、前記ガイド斜面は、前記収容部に収容された前記第１コネクタハウジングの一部を前記収容部の外部に露出させるように形成されていることを特徴とする。
【００１４】
請求項４に記載した本発明のレバー式コネクタは、請求項１乃至請求項３のいずれかに記載のレバー式コネクタにおいて、前記ガイド斜面により前記ガイドリブは、該ガイドリブの突設方向及び前記嵌合方向の双方と交わる方向の２方向において、前記ガイド溝の開口に案内されることを特徴とする。
【００１５】
本発明のレバー式コネクタによれば、第２コネクタハウジングには、第２コネクタハウジングに設けられた収容部の外でガイドリブと係合してガイドリブを収容部に形成したガイド溝の開口へ案内するガイド斜面が設けられている。このため、ガイドリブをガイド溝の開口へ案内することにより容易に第１コネクタハウジングを第２コネクタハウジングの収容部の開口に位置決めさせて、収容部へ挿入することができる。
【００１６】
従って、一方のコネクタハウジングを他方のコネクタハウジングへ挿入する作業性を向上したレバー式コネクタを提供することができる。
【００１７】
本発明のレバー式コネクタによれば、ガイドリブは、レバーと干渉回避可能な位置に設けられているため、レバーがガイドリブに干渉することがない。このため、第１コネクタハウジングを第２コネクタハウジングへ挿入した後、レバーを回動することにより第２コネクタハウジングに対して第１コネクタハウジングを完全嵌合状態となる位置へ移動させることができる。
【００１８】
本発明のレバー式コネクタによれば、ガイドリブは、第２コネクタハウジングとの嵌合方向に対して直交する幅方向の一側と他側に設けられている。このため、より確実にガイドリブをガイド斜面からガイド溝の開口へ案内することができる。
【００１９】
本発明のレバー式コネクタによれば、ガイド斜面を第２コネクタハウジングに形成することで収容部に収容した第１コネクタハウジングが収容部の外部に露出するので、第２コネクタハウジングへの嵌合後においても第１コネクタハウジングの嵌合状態を目視で確認できるようにすることができる。
【００２０】
本発明のレバー式コネクタによれば、ガイド斜面によるガイドリブのガイド溝開口への案内と、ガイド溝へのガイドリブの挿入とによって、第１コネクタハウジングを収容部の開口に対して、ガイドリブの突設方向とガイド斜面によるガイドリブの案内方向との２方向において位置決めすることができる。したがって、第１コネクタハウジングの第２コネクタハウジング（やその収容部の開口）に対する位置合わせを容易にして、挿入作業性を向上させることができる。
【発明の効果】
【００２１】
本発明によれば、一方のコネクタハウジングを他方のコネクタハウジングへ挿入する作業性を向上したレバー式コネクタを提供することができる。
【図面の簡単な説明】
【００２２】
【図１】（ａ），（ｂ）は本発明の実施形態に係るレバー式コネクタを構成する雄コネクタハウジング及び雌コネクタハウジングをそれぞれ示す斜視図である。
【図２】図１（ａ）に示す雄コネクタハウジングの側面図である。
【図３】（ａ）は本発明の実施形態に係るレバー式コネクタの位置合わせ作業を示す斜視図、（ｂ）はガイド斜面に係合するガイドリブの部分を拡大して示す斜視図である。
【図４】本発明の実施形態に係るレバー式コネクタの位置合わせ作業中の状態を示す側面図である。
【図５】（ａ）は本発明の実施形態に係るレバー式コネクタの係合作業を示す斜視図、（ｂ）はガイド溝に案内されるガイドリブの部分を拡大して示す斜視図である。
【図６】本発明の実施形態に係るレバー式コネクタの係合作業中の状態を示す側面図である。
【図７】雄コネクタハウジングと雌コネクタハウジングとを完全嵌合状態とした本発明の実施形態に係るレバー式コネクタを他のコネクタと並べて示す側面図である。
【発明を実施するための形態】
【００２３】
以下、本発明の実施形態に係るレバー式コネクタについて図面を参照して説明する。はじめに、図１及び図２を参照して、本発明の実施形態に係るレバー式コネクタについて説明する。
【００２４】
図１（ａ）は、本発明の実施形態に係るレバー式コネクタの雄コネクタハウジングを示す斜視図である。図１（ｂ）は、本発明の実施形態に係るレバー式コネクタの雌コネクタハウジングを示す斜視図である。図２は、図１（ａ）に示す雄コネクタハウジングの側面図である。
【００２５】
本発明の実施形態に係るレバー式コネクタは、レバーの回動操作により雌雄のコネクタハウジング（後述する第１コネクタハウジング及び第２コネクタハウジング）を低挿入力（Ｌｏｗ  Ｉｎｓｅｒｔｉｏｎ  Ｆｏｒｃｅ）で嵌合させるＬＩＦコネクタに関するものである。
【００２６】
本発明の実施形態に係るレバー式コネクタ１（図３，４参照）は、内部に複数の雄端子（図示省略）を収容した図１（ａ）の雄コネクタハウジング（第１コネクタハウジング）１１と、この雄コネクタハウジングと嵌合可能な図１（ｂ）の雌コネクタハウジング（第２コネクタハウジング）２１と、雄コネクタハウジング１１に回動可能に軸支された図１（ｂ）のレバー３１とから略構成されている。
【００２７】
図１（ａ）に示すように、雄コネクタハウジング（第１コネクタハウジング）１１は、複数の雄端子を収容する端子収容部１２と、後述するレバー３１の回動孔３４ａ、３４ｂに挿入する一対の回動突起部１３ａ、１３ｂ（一側省略）と、後述するガイドリブ案内部２３（図１（ｂ）参照）により雌コネクタハウジング１１内へ案内されるガイドリブ１４とを有している。
【００２８】
端子収容部１２には、複数の雄端子（図示省略）が収容される。この端子収容部１２に収容された複数の雄端子は、雄コネクタハウジング１１が雌コネクタハウジング２１と嵌合すると、雌コネクタハウジング２１の内部に収容された雌端子（図示省略）と接続する。
【００２９】
一対の回動突起部１３ａ、１３ｂ（一側省略）は、雄コネクタハウジング１１の外側面に設けられており、レバー３１に形成された回動孔３４ａ、３４ｂにそれぞれ挿入することにより、レバー３１が雄コネクタハウジング１１に対して回動可能に軸支される。
【００３０】
ガイドリブ１４は、雄コネクタハウジング１１と雌コネクタハウジング２１との嵌合方向（矢印Ｘ方向）に直交する雄コネクタハウジング１１の幅方向の一側及び他側（矢印Ｙ及びＹ´方向）に突設して設けられている。
【００３１】
このガイドリブ１４は、後述するガイド溝２４（図１（ｂ）参照）により、端子収容部１２内において、雌コネクタハウジング２１に対する雄コネクタハウジング１１の嵌合方向（矢印Ｘ方向）に案内される。
【００３２】
ガイドリブ１４が、後述するガイド溝２４（図１（ｂ）参照）により雌コネクタハウジング２１に対する雄コネクタハウジング１１の嵌合方向（矢印Ｘ方向）に案内されると、雄コネクタハウジング１１は、雌コネクタハウジング２１に対して半嵌合状態となる位置に保持される。
【００３３】
また、このガイドリブ１４は、雄コネクタハウジング１１に対するレバー３１の回動範囲の全体において干渉回避可能な位置に設けられている。つまり、ガイドリブ１４は、雄コネクタハウジング１１に軸支されたレバー３１と対向する位置に設けられている。
【００３４】
このように、ガイドリブ１４は、レバー３１と干渉回避可能な位置に設けられているため、レバー３１がガイドリブ１４に干渉することがない。このため、雄コネクタハウジング１１を雌コネクタハウジング２１へ挿入した後、レバー３１を回動することにより雌コネクタハウジング２１に対して雄コネクタハウジング１１を完全嵌合状態となる位置へ移動させることができる。
【００３５】
図１（ｂ）に示すように、雌コネクタハウジング（第２コネクタハウジング）２１は、雄コネクタハウジング１１が収容されるコネクタハウジング収容部２２と、雄コネクタハウジング１１のガイドリブ１４を案内するガイドリブ案内部２３とを有している。
【００３６】
コネクタハウジング収容部２２の底面は、雄コネクタハウジング１１の端子収容部１２に収容された雄端子（図示省略）に接続される複数の雌端子（図示省略）が設けられている。
【００３７】
このコネクタハウジング収容部２２には、雄コネクタハウジング１１のガイドリブ１４がガイドリブ案内部２３により案内されることにより、雄コネクタハウジング１１が収容される。
【００３８】
ガイドリブ案内部２３は、コネクタハウジング収容部２２内にガイドリブ１４（図１（ａ）参照）を案内するガイド溝２４と、ガイドリブ１４をガイド溝２４の開口へ案内するガイド斜面２５を有している。
【００３９】
ガイド溝２４は、コネクタハウジング収容部２２内において、雌コネクタハウジング２１に対する雄コネクタハウジング１１の嵌合方向（図１（ａ）の矢印Ｘ方向）にガイドリブ１４（図１（ａ）参照）を案内する。
【００４０】
ガイド斜面２５は、コネクタハウジング収容部２２の開口の縁部からガイド溝２４の開口へ傾斜しており、コネクタハウジング収容部２２外においてガイドリブ１４（図１（ａ）参照）と係合し（後述する図３（ｂ）参照）、係合したガイドリブ１４をガイド溝２４の開口へ案内する。
【００４１】
このガイド斜面２５は、コネクタハウジング収容部２２内に雄コネクタハウジング１１を収容した際、コネクタハウジング収容部２２に収容された雄コネクタハウジング１１の一部をコネクタハウジング収容部２２の外部に露出させるように形成されている（後述する図７（ａ）参照）。
【００４２】
このように、ガイド斜面２５を雌コネクタハウジング２１に形成することでコネクタハウジング収容部２２に収容した雄コネクタハウジング１１がコネクタハウジング収容部２２の外部に露出するので、雌コネクタハウジング２１への嵌合後においても雄コネクタハウジング１１の嵌合状態を目視で確認できるようにすることができる。
【００４３】
また、このガイド斜面２５により、ガイドリブ１４は、ガイドリブ１４の突設方向（図１（ａ）の矢印Ｙ及びＹ´方向）及び嵌合方向（図１（ａ）の矢印Ｘ方向）の双方と交わる方向において、ガイド溝２４の開口に案内される（後述する図５（ｂ）参照）。
【００４４】
このため、ガイド斜面２５によるガイドリブ１４のガイド溝２４開口への案内と、ガイド溝２４へのガイドリブ１４の挿入とによって、雄コネクタハウジング１１をコネクタハウジング収容部２２の開口に対して、ガイドリブ１４の突設方向とガイド斜面２５によるガイドリブ１４の案内方向との２方向において位置決めすることができる。
【００４５】
したがって、雄コネクタハウジング１１の雌コネクタハウジング２１（やそのコネクタハウジング収容部２２の開口）に対する位置合わせを容易にして、挿入作業性を向上させることができる。
【００４６】
図１及び図２に示すように、レバー３１は、雄コネクタハウジング１１の側面に位置する一対のレバー側板３２と、一対のレバー側板３２同士を連結する操作部３３とを有している。
【００４７】
このレバー３１は、雄コネクタハウジング１１に対して雌コネクタハウジング２１が半嵌合状態となる位置にあるときに、レバー３１の回動操作により雌コネクタハウジング２１に対して雄コネクタハウジング１１を完全嵌合状態となる位置へ移動させる。
【００４８】
一対のレバー側板３２には、レバー３１の一側に向けて長く形成された長穴からなる回動孔３４ａ、３４ｂが形成されている。この回動孔３４ａ、３４ｂに雄コネクタハウジング１１の回動突起部１３ａ、１３ｂをそれぞれ挿入することにより、レバー３１が雄コネクタハウジング１１に回動可能に軸支される。
【００４９】
また、雄コネクタハウジング１１が雌コネクタハウジング２１に対して半嵌合状態となる位置にあるときに操作部３３を操作することによりレバー３１を回動すると、雄コネクタハウジング１１が雌コネクタハウジング２１に対して完全嵌合状態となる位置へ移動する。
【００５０】
上述したように、雌コネクタハウジング２１には、雌コネクタハウジング２１に設けられたコネクタハウジング収容部２２の外でガイドリブ１４と係合してガイドリブ１４をコネクタハウジング収容部２２に形成したガイド溝２４の開口へ案内するガイド斜面２５が設けられている。
【００５１】
このため、ガイドリブ１４をガイド溝２４の開口へ案内することにより容易に雄コネクタハウジング１１を雌コネクタハウジング２１のコネクタハウジング収容部２２の開口に位置決めさせて、収容部へ挿入することができる。
【００５２】
次に、図３から図７を参照して、本発明の実施形態に係る雄コネクタハウジングを雌コネクタハウジングへ挿入する作業について説明する。図３（ａ）は、本発明の実施形態に係るレバー式コネクタの位置合わせ作業中の状態を示す斜視図、（ｂ）はガイド斜面に係合するガイドリブの部分を拡大して示す斜視図である。図４は、位置合わせ作業中のレバー式コネクタの側面図である。
【００５３】
また、図５（ａ）は、本発明の実施形態に係るレバー式コネクタの係合作業中の状態を示す斜視図、（ｂ）はガイド溝に案内されるガイドリブの部分を拡大して示す斜視図である。図６は、係合作業中のレバー式コネクタの側面図である。
【００５４】
さらに、図７は、雄コネクタハウジングと雌コネクタハウジングとを完全嵌合状態とした本発明の実施形態に係るレバー式コネクタを他のコネクタと並べて示す側面図である。
【００５５】
はじめに、図３（ａ）に示すように、レバー３１の回動孔３４ａ、３４ｂに雄コネクタハウジング１１の回動突起部１３ａ、１３ｂをそれぞれ挿入することにより、レバー３１を雄コネクタハウジング１１に回動可能に軸支する。
【００５６】
次に、雄コネクタハウジング１１を雌コネクタハウジング２１のコネクタハウジング収容部２２へ収容する際、図３（ｂ）に示すように、雄コネクタハウジング１１のガイドリブ１４を雌コネクタハウジング２１のガイドリブ案内部２３により案内する。
【００５７】
具体的には、図３及び図４に示すように、ガイドリブ１４をコネクタハウジング収容部２２（図１（ｂ）参照）外の縁部からガイド斜面２５に当接することによりガイド斜面２５と係合する。
【００５８】
次に、ガイドリブ１４をガイド斜面２５と係合させた状態で、ガイドリブ１４を矢印Ａ方向（図３（ｂ）参照）にスライドすることにより、係合したガイドリブ１４をガイド溝２４の開口へ案内する（図５（ｂ）参照）。
【００５９】
ガイド溝２４の開口へ案内されたガイドリブ１４は、図５及び図６に示すように、ガイド溝２４により、コネクタハウジング収容部２２（図１（ｂ）参照）において、雌コネクタハウジング２１に対する雄コネクタハウジング１１の嵌合方向（図１（ａ）の矢印Ｘ方向）に案内される。
【００６０】
ガイドリブ１４が雌コネクタハウジング２１に対する雄コネクタハウジング１１の嵌合方向（図１（ａ）の矢印Ｘ方向）に案内されると、雌コネクタハウジング２１のコネクタハウジング収容部２２（図１（ｂ）参照）に雄コネクタハウジング１１が収容される（図６参照）。
【００６１】
上述したように、このガイド斜面２５は、コネクタハウジング収容部２２に収容された雄コネクタハウジング１１の一部をコネクタハウジング収容部２２の外部に露出させるように形成されている。
【００６２】
このため、図７に示すように、コネクタハウジング収容部２２内に雄コネクタハウジング１１を収容した際、コネクタハウジング収容部２２に収容した雄コネクタハウジング１１がコネクタハウジング収容部２２の外部に露出するので、雌コネクタハウジング２１への嵌合後においても雄コネクタハウジング１１の嵌合状態を目視で確認できるようにすることができる。
【００６３】
特に、レバー式コネクタ１が他のコネクタ２と隣合わせに配置されている場合は、それらの実装対象の基板又はコネクタピン先端の位置Ｌ１から各コネクタ１，２の雄コネクタハウジング１１，１１１の上端Ｌ２までの高さＨがおおよそ一致していることを目安に、雌コネクタハウジング２１への嵌合後においても雄コネクタハウジング１１の嵌合状態を目視で確認できるようにすることができる。
【００６４】
つまり、コネクタハウジング収容部２２の外部に露出した雄コネクタハウジング１１の高さと、他のコネクタ２の外部に露出した雄コネクタハウジング１１１の高さを比較することにより、雄コネクタハウジング１１の嵌合状態を確認することができる。
【００６５】
また、上述したように、コネクタハウジング収容部２２外において、ガイドリブ１４をガイド斜面２５と係合してスライドさせて、係合したガイドリブ１４をガイド溝２４の開口へ案内する（図５（ｂ）参照）。
【００６６】
これにより、ガイドリブ１４をガイド斜面２５にスライドさせることにより、ガイド溝２４の開口に対してガイドリブ１４を位置決めすることと、雌コネクタハウジング２１に設けられたコネクタハウジング収容部２２の開口に対して雄コネクタハウジング１１を位置決めすることとを、同時に達成することができる。
【００６７】
このようにして、本発明の実施形態に係るレバー式コネクタ１は、雄コネクタハウジング（第１コネクタハウジング）１１と、この雄コネクタハウジング１１と嵌合可能な雌コネクタハウジング（第２コネクタハウジング）２１と、雄コネクタハウジング１１に回動可能に軸支されたレバー３１とを備え、雌コネクタハウジング２１に対して雄コネクタハウジング１１が半嵌合状態となる位置にあるときにレバー３１の回動操作により雌コネクタハウジング２１に対して雄コネクタハウジング１１を完全嵌合状態となる位置へ移動させるレバー式コネクタ１であって、雄コネクタハウジング１１は、雌コネクタハウジング２１との嵌合方向に対して直交する幅方向のうちの少なくとも一方に突設したガイドリブ１４を有し、雌コネクタハウジング２１は、雄コネクタハウジング１１が収容される収容部（コネクタハウジング収容部）２２と、ガイドリブ１４を案内するガイドリブ案内部２３とを有し、ガイドリブ案内部２３は、収容部２２内において、雌コネクタハウジング２１に対する雄コネクタハウジング１１の嵌合方向にガイドリブ１４を案内するガイド溝２４と、収容部２２外においてガイドリブ１４と係合し、係合したガイドリブ１４をガイド溝２４の開口へ案内するガイド斜面２５とを有する。
【００６８】
また、本発明の実施形態に係るレバー式コネクタ１は、ガイドリブ１４は、雄コネクタハウジング１１に対するレバー３１の回動範囲の全体において干渉回避可能な位置に設けられている。
【００６９】
さらに、本発明の実施形態に係るレバー式コネクタ１は、雄コネクタハウジング１１は、雌コネクタハウジング２１との嵌合方向に対して直交する幅方向の一側と他側にガイドリブ１４を有している。
【００７０】
また、本発明の実施形態に係るレバー式コネクタ１は、ガイド斜面２５は、収容部２２に収容された雄コネクタハウジング１１の一部を収容部２２の外部に露出させるように形成されている。
【００７１】
さらに、本発明の実施形態に係るレバー式コネクタ１は、ガイド斜面２５によりガイドリブ１４は、ガイドリブ１４の突設方向及び嵌合方向の双方と交わる方向において、ガイド溝２４の開口に案内される。
【００７２】
そして、本発明の実施形態に係るレバー式コネクタ１によれば、雌コネクタハウジング２１には、雌コネクタハウジング２１に設けられたコネクタハウジング収容部２２の外でガイドリブ１４と係合してガイドリブ１４をコネクタハウジング収容部２２に形成したガイド溝２４の開口へ案内するガイド斜面２５が設けられている。このため、ガイドリブ１４をガイド溝２４の開口へ案内することにより容易に雄コネクタハウジング１１を雌コネクタハウジング２１のコネクタハウジング収容部２２の開口に位置決めさせて、収容部２２へ挿入することができる。
【００７３】
従って、雄コネクタハウジング１１を雌コネクタハウジング２１へ挿入する作業性を向上したレバー式コネクタ１を提供することができる。
【００７４】
また、本発明の実施形態に係るレバー式コネクタ１によれば、ガイドリブは、レバーと干渉回避可能な位置に設けられているため、レバー３１がガイドリブ１４に干渉することがない。このため、雄コネクタハウジング１１を雌コネクタハウジング２１へ挿入した後、レバー３１を回動することにより雌コネクタハウジング２１に対して雄コネクタハウジング１１を完全嵌合状態となる位置へ移動させることができる。
【００７５】
さらに、本発明の実施形態に係るレバー式コネクタ１によれば、ガイドリブ１４は、雌コネクタハウジング２１との嵌合方向に対して直交する幅方向の一側と他側に設けられている。このため、より確実にガイドリブ１４をガイド斜面２５からガイド溝２４の開口へ案内することができる。
【００７６】
また、本発明の実施形態に係るレバー式コネクタ１によれば、ガイド斜面２５を雌コネクタハウジング２１に形成することでコネクタハウジング収容部２２に収容した雄コネクタハウジング１１がコネクタハウジング収容部２２の外部に露出するので、雌コネクタハウジング２１への嵌合後においても雄コネクタハウジング１１の嵌合状態を目視で確認できるようにすることができる。
【００７７】
さらに、本発明の実施形態に係るレバー式コネクタ１によれば、ガイド斜面２５によるガイドリブ１４のガイド溝２４開口への案内と、ガイド溝２４へのガイドリブ１４の挿入とによって、雄コネクタハウジング１１を収容部２２の開口に対して、ガイドリブ１４の突設方向とガイド斜面２５によるガイドリブ１４の案内方向との２方向において位置決めすることができる。したがって、雄コネクタハウジング１１の雌コネクタハウジング２１（やそのコネクタハウジング収容部２２の開口）に対する位置合わせを容易にして、挿入作業性を向上させることができる。
【００７８】
以上、本発明のレバー式コネクタを図示の実施形態に基づいて説明したが、本発明はこれに限定されるものではなく、各部の構成は、同様の機能を有する任意の構成のものに置き換えることができる。
【００７９】
例えば、本発明の実施形態では、ガイドリブ１４は、雄コネクタハウジング１１の幅方向（矢印Ｙ及びＹ´方向）の一側及び他側に突設して設けられている場合について説明したが、一側又は他側のいずれか一方に設けられていても良い。
【産業上の利用可能性】
【００８０】
本発明は、レバーの回動操作により、一方のコネクタハウジングと他方のコネクタハウジングとを嵌合させるレバー式コネクタであって、一方のコネクタハウジングを他方のコネクタハウジングへ挿入する際に極めて有用である。
【符号の説明】
【００８１】
１  レバー式コネクタ
２  他のコネクタ
１１  雄コネクタハウジング（第１コネクタハウジング）
１２  端子収容部
１３ａ、１３ｂ  回動突起部
１４  ガイドリブ
２１  雌コネクタハウジング（第２コネクタハウジング）
２２  コネクタハウジング収容部（収容部）
２３  ガイドリブ案内部
２４  ガイド溝
２５  ガイド斜面
３１  レバー
３２  レバー側板
３３  操作部
３４ａ、３４ｂ  回動孔
１１１  雄コネクタハウジング
Ｌ１  コネクタの実装対象の基板又はコネクタピン先端の位置
Ｌ２  雄コネクタハウジング上端
Ｈ  高さ
【図１】
0005767870.tif 000002
【図２】
0005767870.tif 000003
【図３】
0005767870.tif 000004
【図４】
0005767870.tif 000005
【図５】
0005767870.tif 000006
【図６】
0005767870.tif 000007
【図７】
0005767870.tif 000008